(57)【要約】【課題】  眼科装置に対する検眼情報の入力や設定を容易にする眼科情報処理システムを提供する。【解決手段】  モニタ３３を備えた眼科機器３０と、メガネ１０のフレームに設けられ、このメガネ１０のレンズの処方値を含む検眼情報１２を記憶する不揮発性のメモリ１１と、このメモリ１１に記憶された検眼情報１２を読み取るリーダライタ２０と、読み取られた検眼情報１２を眼科機器３０のモニタ３３に表示させるＣＰＵ３１とを備える。【選択図】      図１
2006081835.tif 000002
【特許請求の範囲】
【請求項１】
画像を表示する表示手段を備えた眼科装置と、
メガネのフレームに設けられ、前記メガネのレンズの処方値を含む所定の検眼情報を記憶する不揮発性の記憶手段と、
前記記憶手段に記憶された前記検眼情報を読み取る読取手段と、
前記読み取られた前記検眼情報を前記眼科装置の前記表示手段に表示させる制御手段と、
を備えることを特徴とする眼科情報処理システム。
【請求項２】
顧客を識別するための顧客識別情報と前記顧客に関する顧客関連情報とを互いに関連付けてあらかじめ格納する格納手段を更に備え、
前記記憶手段は、前記メガネの装用者を識別するための装用者識別情報を更に記憶し、
前記読取手段は、前記検眼情報を読み取るときに前記装用者識別情報を読み取り、
前記読み取られた前記装用者識別情報と同一の前記顧客識別情報が、前記格納手段に格納されているか否か判断する判断手段を更に備え、
前記制御手段は、前記判断手段により前記一致する前記顧客識別情報が格納されていると判断されたときに、当該顧客識別情報に関連付けられた前記顧客関連情報を前記格納手段から選択して前記眼科装置の前記表示手段に表示させる、
ことを特徴とする請求項１に記載の眼科情報処理システム。
【請求項３】
情報を格納する情報格納手段を備えた眼科装置と、
メガネのフレームに設けられ、前記メガネのレンズの処方値を含む所定の検眼情報を記憶する不揮発性の記憶手段と、
前記記憶手段に記憶された前記検眼情報を読み取る読取手段と、
前記読み取られた前記検眼情報を前記眼科装置の前記情報格納手段に格納する制御手段と、
を備えることを特徴とする眼科情報処理システム。
【請求項４】
前記眼科装置は、自覚式及び／又は他覚式の検眼装置、レンズメータ、レンズエッジャ、及び、眼科情報管理用のコンピュータ装置のうちの少なくとも１つを含むことを特徴とする請求項１ないし請求項３のいずれか一項に記載の眼科情報処理システム。
【請求項５】
被検眼に対して複数の視標を選択的に提示する視標提示手段と、
前記被検眼の眼屈折力を矯正する複数の矯正用レンズを保持するレンズ保持手段と、前記レンズ保持手段を駆動して前記矯正用レンズを前記被検眼の眼前に選択的に配置させる駆動手段とを有する自覚式検眼手段と、
メガネのフレームに設けられ、前記被検眼の所定の検眼情報を記憶する不揮発性の記憶手段と、
前記記憶手段に記憶された前記検眼情報を読み取る読取手段と、
前記読み取られた前記検眼情報に応じた前記矯正用レンズを選択して前記被検眼の眼前に配置させるように前記自覚式検眼手段の前記駆動手段を制御する制御手段と、
を備えることを特徴とする眼科情報処理システム。
【請求項６】
被検眼に対して複数の視標を選択的に提示する視標提示手段と、
前記被検眼の眼屈折力を矯正する複数の矯正用レンズを保持するレンズ保持手段と、前記レンズ保持手段を駆動して前記矯正用レンズを前記被検眼の眼前に選択的に配置させる駆動手段とを有する自覚式検眼手段と、
メガネのフレームに設けられ、前記被検眼の所定の検眼情報を記憶する不揮発性の記憶手段と、
前記記憶手段に記憶された前記検眼情報を読み取る読取手段と、
前記読み取られた前記検眼情報に応じた前記視標を選択して提示させるように前記視標提示手段を制御する制御手段と、
を備えることを特徴とする眼科情報処理システム。
【発明の詳細な説明】
【技術分野】
【０００１】
本発明は、眼科情報処理システムに関し、特に、検眼時やメガネ作成時などにおける眼科情報の入力処理に関連する技術に属するものである。
【背景技術】
【０００２】
従来、メガネを作成するときなどに行った検眼測定の結果（検眼情報）或いはメガネフレームの形状などの眼科情報は、眼科の処方箋やメガネ店の顧客管理カードなどに記載されて管理されていた。なお、ここで言う検眼情報は、例えば、メガネレンズの処方値、他覚値、自覚値、視力値、瞳孔間距離、眼圧値など、眼科医院やメガネ店等で実施される任意の検査結果を意味するものとする。
【０００３】
メガネを作り直す場合などにおけるコンピュータへの検眼情報等の入力やビジョンテスタや視力表装置等の眼科装置の初期値の設定は、処方箋や顧客管理カードなどの記載を参照して手作業で行われていた。そのため、メガネを作り直すときには、そのメガネの装用者の処方箋等を探し出す必要があり、また、検眼情報等を手作業で入力或いは設定する必要があったために手間が掛かり面倒であった。
【０００４】
また、メガネの再作成時などに処方箋や顧客管理カードを既に廃棄・紛失してしまっているケースも多かったため、装用者の過去の情報を利用できず、検眼などを再度一から行う必要があった。このような状況は非効率であり、また装用者にも大きな負担を与える結果となっていた。
【０００５】
処方箋や顧客管理カードなどは、通常、一定期間保管されているため、前回と同じメガネ店でメガネを作成する場合には、処方箋等がまだ保存されていることもあるが、前回とは別のメガネ店でメガネを作成する場合には、その装用者の過去の情報を参照することができなかった。
【０００６】
なお、以上のような問題は、メガネ店でのメガネ作成時だけでなく、眼科医院などで行う検査や診断時など、検眼情報等の眼科情報を用いるあらゆる場面において憂慮されていた。
【０００７】
ところで、近年、メガネフレームに記憶手段を設け、その記憶手段に記憶された情報を利用する技術が様々な方面で展開されている。下記の特許文献１や特許文献２に開示された発明は、そのような技術の一例である。
【０００８】
特許文献１には、メガネ装用者の眼の処方値とメガネ装用者が選択したメガネフレームのフレーム形状情報とを含む情報に基づいてメガネレンズ加工に必要なレンズ加工情報を得、該レンズ加工情報に基づいてメガネレンズ素材を選択して加工し、これにより得られたメガネレンズを前記メガネフレームに枠入れすることによってメガネを得るメガネ加工方法において、工場側において、前記メガネフレームを製造した後に、該メガネフレームのフレーム形状情報を得る工程と、この得られたフレーム形状情報を含むフレーム関連情報を前記メガネフレームに付加する情報付加工程とを行い、メガネ店側において、前記装用者に選択されたメガネフレームに枠入れされるレンズの加工情報を得る際に必要なフレーム形状情報を、前記メガネフレームに付加されたフレーム関連情報を読み取って得るようにしたメガネ加工方法が記載されている。
【０００９】
このメガネ加工方法に用いられるメガネフレ−ムには、その形状を表すフレーム形状情報や、このフレーム形状情報をデータベースから取得するための識別情報などを記憶したＩＣチップ（記憶手段）が設けられている。このＩＣチップは、メガネフレームに埋め込まれたり、その表面に刻印されたり、或いはタグとして設けられている。ＩＣチップに記憶された情報は、情報読取装置によって読み取られてレンズエッジャ等のレンズ加工装置に入力され、レンズのエッジ形成時に用いられる。
【００１０】
一方、特許文献２には、パッド、テンプル若しくはレンズ内にＩＤコードを始めとする各種個人情報を蓄積した記憶手段と、各回路ブロックを制御するための制御手段と、記憶手段の内容を外部装置と送受信するための送受信手段と、各回路ブロックを駆動させる電源を発生させるための発電手段とで構成した送受信装置を内蔵し、該送受信装置のアンテナとしてメガネのフレーム若しくはテンプル部を利用した個人情報内蔵型メガネと、該個人情報内蔵型メガネと情報を授受するための外部装置としてリーダ若しくはリーダライタをシステムに配設し、該リーダ若しくはリーダライタはハブを経由してＬＡＮに接続し、更に該ＬＡＮにサーバ、データベースサーバ若しくはルータ等を接続することにより情報管理が行えることを特徴とした、個人情報内蔵型メガネによる情報処理システムが記載されている。
【００１１】
当該システムのメガネに内蔵される記憶手段としては、シリコンチップによるＩＣメモリやメモリ機能を持つ特殊高密度記憶ガラスなどが用いられている。また、記憶手段には、個人のＩＤコード、金融機関の暗証番号や預金残高、定期の利用区間や有効期間、運転免許証内容、健康保険証等の医療情報、臓器提供のドナー情報、病歴や血圧等の健康情報、個人の写真画像データなどが記憶され、ドアの開閉、金融システム、自動改札機、自動券売機等に利用されるようになっている。
【００１２】
しかしながら、このような従来の記憶手段付きメガネフレームを用いても、上述したメガネの再作成時などにおける情報の入力や初期値の設定などの問題を有効に解消することは困難と考えられる。
【００１３】
より詳しく説明すると、まず特許文献１に記載の方法については、フレーム関連情報をメガネフレームに付加する処理を工場側で行うように構成されていることから、眼科医院やメガネ店で実施した検眼の結果（検眼情報）を記憶手段に記憶させることができない。換言すると、記憶手段を処方箋や顧客管理カードの代わりに用いることができない。
【００１４】
また、特許文献１に記載の方法は、記憶手段に記憶される情報がメガネフレームに関連するものに限定されており、そのメガネフレームに枠入れされたレンズに関する処方値等の検眼情報を記憶させてそれを利用するようには構成されていない。したがって、当該方法を用いて上述の問題を解消することは困難である。
【００１５】
一方、特許文献２においても、検眼情報を記憶手段に記憶し、その情報を読み出して眼科装置を連係動作させるような構成についての記載はなく、その示唆もない。したがって、同文献のシステムによって上述の問題に対処することは困難と言える。
【００１６】
また、特許文献２に記載のシステムは、ＩＤコードや暗証番号をあらかじめサーバ等に登録し、それを参照して目的の処理を行うように構成されている。また、同文献の第３図〜第６図に示すように、当該システムには、複数のリーダライタ等が設けられており、ハブ及びＬＡＮを経由してサーバ等に接続されている。そのため、当該システムを適用するには、複数のリーダライタ等をハブ及びＬＡＮを介してサーバ等に接続した構成のサーバシステムを構築する必要がある。しかし、小規模なメガネ店や医院などでは、一つのリーダライタで十分な場合もあり、また、そのようなサーバシステムの導入コストや運用コストを賄えない場合もあると考えられる。したがって、同文献に記載のシステムは、利用者のニーズ及び適用範囲の両面において、上述の問題を有効に解決できるとは言い難い。
【００１７】
【特許文献１】特開２００２−７２１５６号公報（請求項１、明細書段落［００２６）、［００２８）、［００３４）、第１１図）
【特許文献２】特開平１１−３５３４４４号公報（請求項１、明細書段落［００１０）、［００１２）、［００１５）〜［００１７）、［００１９）、［００２０）、［００２２）、［００２５）、第２図〜第６図）
【発明の開示】
【発明が解決しようとする課題】
【００１８】
本発明は、このような事情に鑑みてなされたもので、眼科やメガネ店等で用いられる各種の眼科装置に対する検眼情報の入力や設定を容易に行うことを可能とする眼科情報処理システムを提供することを目的とする。
【００１９】
また、本発明は、メガネの装用者の過去の検眼情報がメガネ店や眼科医院に無い場合であっても当該検眼情報を取得可能にして、メガネの作成や眼科検査を効率的に行うことを可能とする眼科情報処理システムを提供することを他の目的としている。
【課題を解決するための手段】
【００２０】
上記目的を達成するために、請求項１に記載の発明は、画像を表示する表示手段を備えた眼科装置と、メガネのフレームに設けられ、前記メガネのレンズの処方値を含む所定の検眼情報を記憶する不揮発性の記憶手段と、前記記憶手段に記憶された前記検眼情報を読み取る読取手段と、前記読み取られた前記検眼情報を前記眼科装置の前記表示手段に表示させる制御手段と、を備えることを特徴とする眼科情報処理システムである。
【００２１】
また、請求項２に記載の発明は、請求項１に記載の眼科情報処理システムであって、顧客を識別するための顧客識別情報と前記顧客に関する顧客関連情報とを互いに関連付けてあらかじめ格納する格納手段を更に備え、前記記憶手段は、前記メガネの装用者を識別するための装用者識別情報を更に記憶し、前記読取手段は、前記検眼情報を読み取るときに前記装用者識別情報を読み取り、前記読み取られた前記装用者識別情報と同一の前記顧客識別情報が、前記格納手段に格納されているか否か判断する判断手段を更に備え、前記制御手段は、前記判断手段により前記一致する前記顧客識別情報が格納されていると判断されたときに、当該顧客識別情報に関連付けられた前記顧客関連情報を前記格納手段から選択して前記眼科装置の前記表示手段に表示させる、ことを特徴とする。
【００２２】
また、請求項３に記載の発明は、情報を格納する情報格納手段を備えた眼科装置と、メガネのフレームに設けられ、前記メガネのレンズの処方値を含む所定の検眼情報を記憶する不揮発性の記憶手段と、前記記憶手段に記憶された前記検眼情報を読み取る読取手段と、前記読み取られた前記検眼情報を前記眼科装置の前記情報格納手段に格納する制御手段と、を備えることを特徴とする眼科情報処理システムである。
【００２３】
また、請求項４に記載の発明は、請求項１ないし請求項３のいずれか一項に記載の眼科情報処理システムであって、前記眼科装置は、自覚式及び／又は他覚式の検眼装置、レンズメータ、レンズエッジャ、及び、眼科情報管理用のコンピュータ装置のうちの少なくとも１つを含むことを特徴とする。
【００２４】
また、請求項５に記載の発明は、被検眼に対して複数の視標を選択的に提示する視標提示手段と、前記被検眼の眼屈折力を矯正する複数の矯正用レンズを保持するレンズ保持手段と、前記レンズ保持手段を駆動して前記矯正用レンズを前記被検眼の眼前に選択的に配置させる駆動手段とを有する自覚式検眼手段と、メガネのフレームに設けられ、前記被検眼の所定の検眼情報を記憶する不揮発性の記憶手段と、前記記憶手段に記憶された前記検眼情報を読み取る読取手段と、前記読み取られた前記検眼情報に応じた前記矯正用レンズを選択して前記被検眼の眼前に配置させるように前記自覚式検眼手段の前記駆動手段を制御する制御手段と、を備えることを特徴とする眼科情報処理システムである。
【００２５】
また、請求項６に記載の発明は、被検眼に対して複数の視標を選択的に提示する視標提示手段と、前記被検眼の眼屈折力を矯正する複数の矯正用レンズを保持するレンズ保持手段と、前記レンズ保持手段を駆動して前記矯正用レンズを前記被検眼の眼前に選択的に配置させる駆動手段とを有する自覚式検眼手段と、メガネのフレームに設けられ、前記被検眼の所定の検眼情報を記憶する不揮発性の記憶手段と、前記記憶手段に記憶された前記検眼情報を読み取る読取手段と、前記読み取られた前記検眼情報に応じた前記視標を選択して提示させるように前記視標提示手段を制御する制御手段と、を備えることを特徴とする眼科情報処理システムである。
【発明の効果】
【００２６】
本発明に係る眼科情報処理システムによれば、メガネのフレームに設けられた記憶手段に記憶された検眼情報を読取手段で読み取るだけで、その検眼情報が眼科装置に自動的に入力される。したがって、眼科装置に対する検眼情報の入力が容易となる。
【００２７】
また、処方箋や顧客管理カードを廃棄・紛失してしまった場合や、前回とは別のメガネ店でメガネを作成する場合、或いは別の眼科医院で検査等を行う場合など、メガネの装用者の過去の検眼情報がメガネ店や眼科医院に無い場合であっても、メガネ自体に記憶された検眼情報を取得してそれを参照することが可能であるので、メガネの作成や眼科検査を効率的に行うことができる。
【００２８】
特に、請求項１、２に記載の本発明によれば、読取手段によって読み取られた検眼情報が眼科装置の表示手段に自動的に表示されるので、メガネの作成や眼科検査を行うときの検眼情報の設定操作を効率的に行うことができる。
【００２９】
また、請求項３に記載の本発明によれば、読取手段によって読み取られた検眼情報が眼科装置の情報格納手段に自動的に格納されるので、眼科装置に対する検眼情報の入力・保存が容易となるとともに、その格納内容を参照することによりメガネの作成や眼科検査を行うときの検眼情報の設定を効率的に行うことができる。
【００３０】
また、請求項５、６に記載の本発明によれば、読取手段によって読み取られた検眼情報に応じた矯正用レンズや視標が自動的に設定されるので、検眼測定を行うときの設定、特に初期値の設定が容易となる。
【発明を実施するための最良の形態】
【００３１】
本発明の好適な実施形態の一例について、図面を参照しながら詳細に説明する。
【００３２】
〈第１の実施形態〉
以下に説明する本発明の第１の実施形態は、モニタ等の表示手段を備えた眼科装置を含んで構成されるシステムに適用されるものである。以下、本実施形態の眼科情報処理システムについて説明する。本システムは、眼科医院やメガネ店など、メガネやその装用者の眼に関する情報を必要とするあらゆる環境下にて運用されるものである（以下同様）。
【００３３】
［システム構成］
図１は、本実施形態の眼科情報処理システム（単に「システム」と呼ぶこともある）１の構成を示すブロック図である。当該システム１は、メガネ１０に設けられたメモリ１１と、このメモリ１１に対する情報の読取処理及び書込処理を行うリーダライタ２０と、このリーダライタ２０に接続された眼科機器３０及びコンピュータ装置４０とを含んで構成されている。
【００３４】
眼科機器３０とコンピュータ装置４０は、互いに通信可能に接続されている。コンピュータ装置４０は、眼科機器３０により取得される情報や利用される情報を管理する本発明にいう「眼科情報管理用のコンピュータ装置」であり、例えば、医療情報管理ソフトウェアや顧客情報管理ソフトウェアにしたがって動作する。
【００３５】
また、眼科機器３０とコンピュータ装置４０とは、本発明にいう「眼科装置」を構成する。本発明に係る眼科装置は、単一の眼科機器又はコンピュータ装置で構成されていてもよいし、複数の眼科機器、又は、単一若しくは複数の眼科機器とコンピュータ装置とによって構成されていてもよい（なお、本実施形態では第３番目の構成が採用されている）。
【００３６】
以下、メガネ１０、リーダライタ２０、眼科機器３０及びコンピュータ装置４０の構成についてそれぞれ説明する。
【００３７】
〔メガネ〕
メガネ１０には、本発明の「記憶手段」としてのメモリ１１と、このメモリ１１に接続された電気接点１４とが設けられている。メモリ１１には、メガネ１０の装用者の検眼情報１２と、メガネ１０の装用者を識別するための装用者ＩＤ１３とが記憶されている。検眼情報１２と装用者ＩＤ１３は、当該装用者が眼科医院やメガネ店等で行った眼科検査時にメモリ１１に記憶されるものである。その記憶処理は、例えばリーダライタ２０と同様の書き込み装置を用いて行われる。なお、本実施形態のシステム１による処理は、検眼情報１２と装用者ＩＤ１３が既にメモリ１１に記憶されている場合に対応して実行されるものである。
【００３８】
メモリ１１は、例えばフラッシュメモリ等の不揮発性（電力供給がなくても記憶内容が消去されない特性）の記憶手段を含んで構成され、後述するメガネ１０のフレームに装着するために十分に小さなサイズとされている。また、メモリ１１は、情報の書き込み及び消去を複数回繰り返せるように構成されている。なお、図示は省略するが、このメモリ１１には、外部装置とのデータの入出力を制御するコントロール回路が接続されている。
【００３９】
検眼情報１２は、メガネ１０を作成するときに実施された検眼測定の測定結果を含んでおり、メガネ１０の処方値（レンズの度数）、レフラクトメータ等の他覚式検眼装置を用いて取得された当該装用者の左右眼の他覚値、ビジョンテスタ等の自覚式検眼装置を用いて取得された自覚値、視力表装置等を用いて取得された視力値、左右眼の瞳孔間距離など、検眼測定により取得される任意の測定結果を含んでいる。また、検眼測定を行った日付や測定環境（医院名、メガネ店名、検者名等）などを検眼情報１２に含めてもよい。
【００４０】
装用者ＩＤ１３は、例えば、システム１が設置された眼科医院の患者ＩＤやメガネ店の顧客ＩＤを含む、本発明の「装用者識別情報」である。この装用者識別情報としては、このようなＩＤ情報以外にも、メガネ１０の装用者の氏名など、メガネ１０の装用者の識別を可能とする任意の形態の情報を適用することができる。
【００４１】
次に、メガネ１０の構成の一例について図２を参照して説明する。メガネ１０は、フレーム１０Ａと、このフレーム１０Ａに装着（枠入れ）された左右のレンズＬＬ、ＬＲとを含んで構成される。
【００４２】
フレーム１０Ａは、レンズＬＬ、ＬＲが装着される前枠１０Ｂと、この前枠１０Ｂに取り付けられた左右のパッド（鼻当て）１０Ｃ、１０Ｄと、前枠１０Ａに折り畳み可能に接続された左右のテンプル１０Ｌ、１０Ｒと、それらの先端にそれぞれ取り付けられたモダン（耳当て）１０Ｅ、１０Ｆとを含んでいる。
【００４３】
メモリ１１及び電気接点１４は、例えば、図２に示すように左のテンプル１０Ｌに設けられている。メモリ１１及び電気接点１４は、フレーム１０Ａの任意の位置に設けることができる。メモリ１１は、例えば、フレーム１０Ａが金属製である場合にはフレーム１０Ａの表面に取り付けられ、フレーム１０Ａがプラスティック等の樹脂製である場合にはフレーム１０Ａの内部に埋め込まれる。また、電気接点１４は、フレーム１０Ａの表面に設けられる。
【００４４】
〔リーダライタ〕
リーダライタ２０は、メガネ１０のメモリ１１に記憶された検眼情報１２と装用者ＩＤ１３を読み取る本発明の「読取手段」を構成している。このリーダライタ２０は、従来と同様の構成を有する接触型リーダライタであり、メガネ１０の電気接点１４に接触される電気接点２１を備えている。なお、非接触型のリーダライタを適用した構成については後述する。
【００４５】
リーダライタ２０の電気接点２１をメガネ１０の電気接点１４に接触させると、リーダライタ２０からメモリ１１側に電流が供給されて上述のコントロール回路が作動する。それにより、検眼情報１２及び装用者ＩＤ１３がメモリ１１からリーダライタ２０に出力される。
【００４６】
また、リーダライタ２０は、図示しない通信インターフェイス（Ｉ／Ｆ）を備えており、メガネ１０のメモリ１１から読み取った検眼情報１２と装用者ＩＤ１３を、ケーブル等を介して眼科機器３０及びコンピュータ装置４０に送信する。ここで、眼科機器３０又はコンピュータ装置４０の一方のみに検眼情報１２等を送信するようにしてもよい。その場合、検眼情報１２等が送信された一方の装置から他方の装置に向けて検眼情報１２等を送信するように構成できる。
【００４７】
〔眼科機器〕
眼科機器３０は、本発明の「眼科装置」の一例であり、ビジョンテスタや視力表装置等の自覚式検眼装置、レフラクトメータ等の他覚式検眼装置、メガネのレンズの光学特性を測定するレンズメータ、レンズを研削加工するレンズエッジャなどの任意の眼科機器を含んで構成される。また、本出願人による特開２００４−２２２９５５号公報などに記載の検眼装置のように、自覚式検眼及び他覚式検眼を両眼同時に実施可能な検眼装置などを適用することもできる。
【００４８】
なお、自覚式検眼装置については第３の実施形態で説明する。また、他覚式検眼装置、レンズメータ、レンズエッジャ（レンズ研削加工装置）の構成については、それぞれ、本出願人による特開平８−２８０６２３号公報、特開２００４−２１９１１８号公報、特開２００４−１６４１７９号公報に詳述されている。
【００４９】
さて、本システム１の眼科機器３０は、ＣＰＵ（Ｃｅｎｔｒａｌ  Ｐｒｏｃｅｓｓｉｎｇ  Ｕｎｉｔ）３１と、図示しない制御プログラムや各種情報を記憶するメモリ３２と、各種の画像を表示するモニタ３３（表示手段）と、リーダライタ２０（及びコンピュータ装置４０のそれぞれ）との間におけるデータ入出力処理を行う通信Ｉ／Ｆ３４とを備えている。なお、図示は省略するが、眼科機器３０には、オペレータが各種のデータ入力や操作入力を行うための入力部（ボタン、スイッチなど）が設けられている。
【００５０】
ＣＰＵ３１は、上記の制御プログラムを実行することにより、モニタ３３による画像表示の制御など眼科機器３０の各部の制御処理や、各種演算処理などのデータ加工処理を行う。ＣＰＵ３１の動作の詳細については後述する。
【００５１】
メモリ３２は、例えば、フラッシュメモリ等のＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）など、記憶内容の書き換えが可能なメモリを含んで構成される。なお、このメモリ３２の代わりにハードディスクドライブなどの各種のドライブ装置を設けるようにしてもよい。
【００５２】
〔コンピュータ装置〕
コンピュータ装置４０は、本発明の「眼科装置」の一例を構成するもので、眼科医院等で運用される電子カルテ管理システムなどの医療情報管理システムや、メガネ店等で運用される顧客情報管理システムに含まれるコンピュータ端末あるいはサーバなどにより構成される。
【００５３】
コンピュータ装置４０は、図１に示すように、ＣＰＵ４１と、顧客ＩＤ４５及び関連情報４６を格納する格納部４４を有するハードディスクドライブ（ＨＤＤ）４３と、モニタ４７と、通信Ｉ／Ｆ４８とを備えている。
【００５４】
格納部４４は、本発明の「格納手段」に相当するもので、ＨＤＤ４３の記憶領域内に形成されたディレクトリにより構成される。この格納部４４に格納された顧客ＩＤ４５は、当該システム１が設置される眼科医院の患者やメガネ店の顧客を識別するための情報で、本発明の「顧客識別情報」を構成している。また、関連情報４６は、その患者や顧客に関する情報、例えば、患者や顧客の氏名、年齢、住所などの個人情報、患者の電子カルテや撮影画像あるいは顧客の検眼結果など診断結果や検査結果などの情報を含むものであり、本発明の「顧客関連情報」を構成している。顧客ＩＤ４５とその顧客の関連情報４６とは、互いに関連付けられて格納部４４に記憶されている。なお、本発明において「顧客」とは、メガネ店の顧客はもちろん、眼科医院等の患者をも含むものとして定義する。
【００５５】
ＣＰＵ４１は、ＨＤＤ４３やＲＯＭ（図示省略）などに記憶された制御プログラムに基づいて、コンピュータ装置４０の各部の制御処理や、各種演算処理などのデータ加工処理を行う。このＣＰＵ４１は、本発明の「制御手段」を構成するものである。
【００５６】
ＣＰＵ４１の判断部４２は、本発明にいう「判断手段」を構成し、リーダライタ２０によって読み取られた装用者ＩＤ１３と同一の顧客ＩＤ４５が格納部４４に格納されているか否かを判断する処理を行う。装用者ＩＤ１３と同一の顧客ＩＤ４５が格納されていると判断された場合、ＣＰＵ４１は、その顧客ＩＤ４５（＝装用者ＩＤ１３）及びそれに関連付けられた関連情報４６を格納部４４から選択して眼科機器３０に送信する。それとともに、ＣＰＵ４１は、検眼情報１２、顧客ＩＤ４５、関連情報４５等をコンピュータ装置４０のモニタ４７に表示させてもよい。
【００５７】
一方、判断部４２が、装用者ＩＤ１３と同一の顧客ＩＤ４５が格納されていないと判断した場合、ＣＰＵ４１は、リーダライタ２０により読み取られた装用者ＩＤ１３を顧客ＩＤ４５として、かつ、検眼情報１２を関連情報４６として、互いに関連付けて格納部４４に格納する。
【００５８】
［処理手順］
以上のような構成を有する本実施形態の眼科情報処理システム１により実行される処理の一例について、図３を参照して説明する。図３に示すフローチャートは、当該システム１の運用形態の一例を表している。
【００５９】
メガネ１０のメモリ１１に検眼情報１２と装用者ＩＤ１３をあらかじめ記憶させておく（Ｓ１）。
【００６０】
メガネ１０及びリーダライタ２０の一方又は双方を近接させて、メガネ１０の電気接点１４とリーダライタ２０の電気接点２１とを接触させる（Ｓ２）。すると、リーダライタ２０は、メガネ１０のメモリ１１に記憶された検眼情報１２と装用者ＩＤ１３とを読み取り（Ｓ３）、眼科機器３０及びコンピュータ装置４０にそれぞれ送信する（Ｓ４）。リーダライタ２０から送信された検眼情報１２と装用者ＩＤ１３は、眼科機器３０のメモリ３２及びコンピュータ装置４０のＨＤＤ４３にそれぞれ記憶される（Ｓ５）。
【００６１】
コンピュータ装置４０のＣＰＵ４１の判断部４２は、格納部４４内を検索して、装用者ＩＤ１３と同一の顧客ＩＤ４５が格納されているか判断する（Ｓ６）。
【００６２】
装用者ＩＤ１３と同一の顧客ＩＤ４５が格納されている場合（Ｓ６；Ｙ）、ＣＰＵ４１は、当該顧客ＩＤ４５に関連付けられた関連情報４６を格納部４４から選択して眼科機器３０に送信する（Ｓ７）。眼科機器３０のＣＰＵ３１は、ステップＳ５においてメモリ３２に記憶した検眼情報１２及び装用者ＩＤ１３（＝顧客ＩＤ４５）と、コンピュータ装置４０からの関連情報４６とをモニタ３３に表示させる（Ｓ８）。また、コンピュータ装置４０のＣＰＵ４１は、検眼情報１２、装用者ＩＤ１３及び関連情報４６をモニタ４７に表示させる（Ｓ９）。
【００６３】
一方、装用者ＩＤ１３と同一の顧客ＩＤ４５が格納されていない場合（Ｓ６；Ｎ）、ＣＰＵ４１は、装用者ＩＤ１３を顧客ＩＤ４５として、かつ、検眼情報１２を関連情報４６として、互いに関連付けて格納部４４に格納する（Ｓ１０）。
【００６４】
［作用・効果］
このように、本実施形態の眼科情報処理システム１は、メガネ１０にあらかじめ記憶された検眼情報１２を読み取って眼科機器３０とコンピュータ装置４０に入力し、その検眼情報を眼科機器３０のモニタ３３とコンピュータ装置４０のモニタ４７に表示させるように作用する。したがって、メガネ１０のメモリ１１の記憶内容をリーダライタ２０で読み取るだけで、検眼情報１２を眼科装置（眼科機器３０、コンピュータ装置４０）に容易に入力することができる（つまり、検眼情報１２を手入力する必要がない）。また、処方箋や顧客管理カードを廃棄・紛失してしまった場合や、前回とは別のメガネ店でメガネを作成する場合、或いは別の眼科医院で検査等を行う場合など、メガネの装用者の過去の検眼情報がメガネ店や眼科医院に無い場合であっても、モニタ３３やモニタ４７に表示された検眼情報１２を参照することにより、メガネの作成や眼科検査を効率的に行うことができる。
【００６５】
また、眼科情報処理システム１は、メガネ１０に記憶された装用者ＩＤ１３がリーダライタ２０により読み取られると、その装用者ＩＤ１３と同一の顧客ＩＤ４５に対応する関連情報４６をモニタ３３やモニタ４７に表示するように作用する。それにより、表示された関連情報４６に示す患者や顧客の個人情報、診断結果、検査結果などを参照してメガネの作成や眼科検査を効率的に行うことができる。
【００６６】
また、この眼科情報処理システム１は、装用者ＩＤ１３と同一の顧客ＩＤ４５が格納されていない場合には、読み取られた検眼情報１２や顧客ＩＤ４５から、当該装用者の顧客ＩＤ４５及び関連情報４６を作成するように動作する。それにより、新規の患者・顧客の顧客ＩＤ４５や関連情報４６が自動的に作成されるので便利である。
【００６７】
［各種変形例］
ここで、本発明の第１の実施形態である眼科情報処理システム１に関する各種の変形例について説明する。
【００６８】
〔変形例１〕
図４は、単一の眼科装置（眼科機器）を含む眼科情報処理システムの一例である。第１の実施形態においては、複数（２つ）の眼科装置（眼科機器３０、コンピュータ装置４０）が含まれていた。本変形例の作用効果は第１の実施形態と同様である。なお、本変形例に係るシステムに含まれる単一の眼科装置は、もちろんコンピュータ装置であってもよい。
【００６９】
同図に示す眼科情報処理システム１′は、第１の実施形態と同様のメガネ１０、リーダライタ２０及び眼科機器３０を有している。本変形例の眼科機器３０は、第１の実施形態における判断部４２と同様の判断部３５をＣＰＵ３１に備えており、また、顧客ＩＤ４５及び関連情報４６と同様の顧客ＩＤ３２Ａ及び関連情報３２Ｂをメモリ３２に記憶している。
【００７０】
本変形例のメモリ３２は、複数の患者や顧客に関するこれら情報を格納するために十分な記憶容量を有する不揮発性のメモリである。なお、そのようなメモリ３２の代わりに、ＨＤＤなどの各種のドライブ装置を用いることも可能である。
【００７１】
本変形例の眼科情報処理システム１′は、次のように動作する。メガネ１０のメモリ１１には検眼情報１２と装用者ＩＤ１３があらかじめ記憶されている。
【００７２】
メガネ１０のメモリ１１に記憶された検眼情報１２と装用者ＩＤ１３とは、リーダライタ２０により読み取られて眼科機器３０に送信される。眼科機器３０のＣＰＵ３１の判断部３５は、メモリ３２内を検索して、装用者ＩＤ１３と同一の顧客ＩＤ３２Ａが格納されているか判断する。同一の顧客ＩＤ３２Ａが格納されている場合、ＣＰＵ３１は、当該顧客ＩＤ３２Ａに関連付けられた関連情報３２Ｂをメモリ３２から選択してモニタ３３に表示させる。一方、同一の顧客ＩＤ３２Ａが格納されていない場合には、取得した装用者ＩＤ１３を顧客ＩＤ３２Ａとして、かつ、検眼情報１２を関連情報３２Ｂとして、互いに関連付けてメモリ３２に格納する。
【００７３】
〔変形例２〕
本変形例は、メガネとリーダライタとの間におけるデータ送受信の手法の一例に関するものである。第１の実施形態では、メガネとリーダライタの双方に電気接点を設け、それらを接触させてデータ（検眼情報、装用者ＩＤ）をやりとりしていた。本変形例は、それとは異なり、非接触でデータ送受信を行うものである。
【００７４】
図５に、本変形例のメガネ１０′及びリーダライタ２０′の構成を示す。メガネ１０′にはＩＣタグ１５が設けられている。このＩＣタグ１５には、検眼情報１２及び装用者ＩＤ１３を記憶するＩＣチップ１６と、このＩＣチップ１５に接続されたコイル状のアンテナ１７とが設けられている。また、リーダライタ２０′には、ＩＣタグ１５のアンテナ１７との間で電波による無線通信を行うためのコイル状のアンテナ２２が設けられている。なお、リーダライタ２０′には、図示しない電池により又は眼科装置により電力が供給されるようになっている。ＩＣタグ１５には、電池等の電源は設けられていない。
【００７５】
リーダライタ２０′をメガネ１０′に近づけると（例えば数十センチメートル程度）、リーダライタ２０′のアンテナ２２から送信される電波によりＩＣチップ１５に電力が供給される。ＩＣチップ１５は、その電力を用いて検眼情報１２及び装用者ＩＤ１３をアンテナ１７から無線送信する。リーダライタ２０′のアンテナ２２は、ＩＣチップ１５からの電波を受信する。それにより、検眼情報１２及び装用者ＩＤ１３がリーダライタ２０′に送信される。リーダライタ２０′は、メガネ１０′側から読み取った検眼情報１２等を眼科装置に送信する。眼科装置は、第１の実施形態と同様にして検眼情報１２等をモニタに表示させる。
【００７６】
本変形例によれば、リーダライタ２０′をメガネ１０′に、又は、メガネ１０′をリーダライタ２０′に近づけるだけで、メガネ１０′に保持された検眼情報１２等を眼科装置に容易に入力することができる。
【００７７】
〔変形例３〕
図６は、第１の実施形態の眼科情報処理システム１による処理の変形例を表すフローチャートである。第１の実施形態で説明した処理は、リーダライタ２０により読み取られた検眼情報１２等を、眼科機器３０及びコンピュータ装置４０の双方に送信するものであった。本変形例では、読み取られた検眼情報１２等がコンピュータ装置４０にのみ送信されるときの処理の一例を提供する。なお、読み取られた情報が眼科機器３０にのみ送信されるときも同様に処理がなされる。
【００７８】
メガネ１０のメモリ１１に検眼情報１２と装用者ＩＤ１３をあらかじめ記憶させておく（Ｓ１１）。メガネ１０の電気接点１４とリーダライタ２０の電気接点２１とを接触させ（Ｓ１２）、メガネ１０のメモリ１１に記憶された検眼情報１２と装用者ＩＤ１３とをリーダライタ２０により読み取る（Ｓ１３）。読み取られた検眼情報１２及び装用者ＩＤ１３は、コンピュータ装置４０に送信され（Ｓ１４）、コンピュータ装置４０のＨＤＤ４３に記憶される（Ｓ１５）。
【００７９】
コンピュータ装置４０のＣＰＵ４１の判断部４２は、格納部４４内を検索して、装用者ＩＤ１３と同一の顧客ＩＤ４５が格納されているか判断する（Ｓ１６）。
【００８０】
同一の顧客ＩＤ４５が格納されている場合（Ｓ１６；Ｙ）、ＣＰＵ４１は、当該顧客ＩＤ４５に関連付けられた関連情報４６を格納部４４から選択する（Ｓ１７）。次に、ＣＰＵ４１は、ステップＳ１５で記憶した検眼情報１２及び装用者ＩＤ１３と、格納部４４から選択された関連情報４６とを眼科機器３０に送信する（Ｓ１８）。眼科機器３０のＣＰＵ３１は、コンピュータ装置４０から送信された検眼情報１２、装用者ＩＤ１３及び関連情報４６をモニタ３３に表示させる（Ｓ１９）。また、コンピュータ装置４０のＣＰＵ４１は、検眼情報１２、装用者ＩＤ１３及び関連情報４６をモニタ４７に表示させる（Ｓ２０）。
【００８１】
一方、装用者ＩＤ１３と同一の顧客ＩＤ４５が格納されていない場合（Ｓ１６；Ｎ）、ＣＰＵ４１は、装用者ＩＤ１３を顧客ＩＤ４５として、かつ、検眼情報１２を関連情報４６として、互いに関連付けて格納部４４に格納する（Ｓ２１）。
【００８２】
このように、複数の眼科装置を含むシステム構成を採用する場合であっても、リーダライタから全ての眼科装置に検眼情報１２等を送信する必要はない。
【００８３】
〔その他変形例〕
第１の実施形態においては、検眼情報１２、装用者ＩＤ１３及び関連情報４６が眼科機器３０のモニタ３３及びコンピュータ装置４０のモニタ４７に表示されるように構成されていたが、これに限定されるものではない。例えば、これから行おうとする検査等に必要な情報だけ（例えば検眼情報１２のみ）を表示させるようにできる。表示される情報は、デフォルトで設定されていてもよいし、眼科機器３０やコンピュータ装置４０の操作ボタンやキーなどのコンソールから選択入力された情報を選択的に表示させるようにしてもよい。
【００８４】
検眼情報１２等の表示は、眼科機器３０のモニタ３３のみで行ったり、コンピュータ装置４０のモニタ４７のみで行ったりしてもよい。
【００８５】
第１の実施形態の説明において、レフラクトメータ等の他覚式検眼装置、レンズメータ、レンズエッジャ（レンズ研削加工装置）をシステム１の眼科機器３０として使用できることを述べた。ここで、これらの各機器を眼科機器３０として用いたときの処理の一例について説明する。
【００８６】
上述した特開平８−２８０６２３号公報の第６図や明細書段落［００４３］等に示すように、他覚式検眼装置（オートレフラクトメータ）にはモニタ（表示手段）が設けられている。また、特開２００４−２１９１１８号公報の第１図や明細書段落［０００９］等に示すように、レンズメータには液晶表示器（表示手段）が設けられている。また、特開２００４−１６４１７９号公報の第５図や明細書段落［００１２］等に示すように、レンズエッジャには液晶表示器（表示手段）が設けられている。リーダライタ２０やコンピュータ装置４０から眼科機器３０に送信された検眼情報１２等は、これら表示手段に表示される。なお、これら以外の眼科機器（表示手段を備えたものに限る）を使用する場合であっても、同様にして検眼情報１２等を表示させることができる。また、表示手段としては、眼科機器に搭載されたものを使用していてもよいし、外付け用の表示手段を接続して使用するようにしてもよい。
【００８７】
システムに複数の眼科装置が設けられている場合など、表示手段が複数設けられている場合には、それら表示手段の全てに検眼情報１２等を表示させるようにしてもよいし、特定の表示手段のみに表示させるようにしてもよい。また、検眼情報１２等を表示させる表示手段を選択する機能（選択操作を行うボタンやキー等）を設けることもできる。
【００８８】
〈第２の実施形態〉
本発明に係る眼科情報処理システムの第２の実施形態について説明する。以下に説明する本発明の第２の実施形態は、メガネに保持された情報を格納するための情報格納手段を備えた眼科装置を含んで構成されるシステムに適用されるものである。
【００８９】
［構成］
図７は、本実施形態の眼科情報処理システムの一例を表すものである。同図に記載のシステム１００は、第１の実施形態の変形例１と同様に、単一の眼科装置（眼科機器）を含んでいる。
【００９０】
図７に示す眼科情報処理システム１００は、第１の実施形態と同様のメガネ１０、リーダライタ２０及び眼科機器３０を有している。また、本実施形態の眼科機器３０は、ＣＰＵ３１（制御手段）、メモリ３２、モニタ３３及び通信Ｉ／Ｆ３４を含んで構成されている。
【００９１】
本実施形態のメモリ３２は、フラッシュ（登録商標）メモリなどの読み書き可能な不揮発性のメモリである。このメモリ３２には、所定のディレクトリからなる情報格納部３２ａ（情報格納手段）が設定されている。なお、メモリ３２の代わりに、ＨＤＤなどの各種のドライブ装置を用いてもよい。
【００９２】
［処理手順］
本実施形態の眼科情報処理システム１００は、次のように動作する（図８のフローチャートを参照）。なお、メガネ１０のメモリ１１には、検眼情報１２と装用者ＩＤ１３があらかじめ記憶されている（Ｓ２１）。
【００９３】
メガネ１０及びリーダライタ２０の一方又は双方を近接させて、メガネ１０の電気接点１４とリーダライタ２０の電気接点２１とを接触させる（Ｓ２２）。すると、リーダライタ２０は、メガネ１０のメモリ１１に記憶された検眼情報１２と装用者ＩＤ１３とを読み取り（Ｓ２３）、眼科機器３０に送信する（Ｓ２４）。眼科機器３０のＣＰＵ３１は、リーダライタ２０から送信された検眼情報１２と装用者ＩＤ１３を互いに関連付けてメモリ３２の情報格納部３２ａに記憶する（Ｓ２５）。なお、格納された検眼情報１２等は、眼科機器３０等の図示しない操作部（ボタンやキー等）からの要求などに応じてモニタ３３等の表示手段に表示されるようになっている。
【００９４】
［作用・効果］
本実施形態のシステム１００によれば、メガネ１０のメモリ１１の記憶内容をリーダライタ２０で読み取るだけで、検眼情報１２を眼科機器３０に容易に入力して格納することができる。また、処方箋や顧客管理カードを廃棄・紛失してしまった場合や、前回とは別のメガネ店でメガネを作成する場合、或いは別の眼科医院で検査等を行う場合など、メガネの装用者の過去の検眼情報がメガネ店や眼科医院に無い場合であっても、格納された検眼情報１２等をモニタ３３に表示させて参照することにより、メガネの作成や眼科検査を効率的に行うことができる。
【００９５】
［変形例］
患者や顧客に関する情報（第１の実施形態の顧客ＩＤ、関連情報）をメモリ３２に保存して管理するように構成されている場合には、例えば次のような構成を採用することができる。まず、読み取られた装用者ＩＤと同一の顧客ＩＤが情報格納部３２ａに格納されているかを判断する、第１の実施形態と同様の「判断部」をＣＰＵ３１に設ける。そして、ＣＰＵ３１は、装用者ＩＤと同一の顧客ＩＤが格納されているときには、読み取られた検眼情報１２を、当該顧客ＩＤに対応する関連情報に追加して格納する。一方、同一の顧客ＩＤが格納されていない場合には、取得した装用者ＩＤを当該装用者の顧客ＩＤ（新規に登録）として格納するとともに、当該顧客ＩＤに関連付けられた関連情報として検眼情報１２を格納する。
【００９６】
〈第３の実施形態〉
本発明に係る眼科情報処理システムの第３の実施形態について説明する。本実施形態のシステムは、メガネを再作成するときの検眼測定をスムーズに行うためのものであり、検眼用の視標を提示する視力表装置や、ビジョンテスタ等の自覚式検眼装置を含んで構成されている。
【００９７】
［構成］
図９は、本実施形態の眼科情報処理システムの構成の一例を表している。同図に示す眼科情報処理システム１０００は、眼科医院やメガネ店に設置され、患者や顧客（被検者）に対して自覚式の検眼測定を施すためのものである。
【００９８】
本システム１０００には、第１、２の実施形態と同様のメガネ１０のメモリ１１及びリーダライタ２０と、被検者の眼前に配置されるビジョンテスタ１２０と、このビジョンテスタ１２０に対して所定の距離（遠用視力測定距離；３メートル、５メートル等）を介して設置された視力表装置１３０と、ビジョンテスタ１２０や視力表装置１３０等のコンソールとして用いられるコンピュータ装置１４０とを含んで構成される。ビジョンテスタ１２０と視力表装置１３０は、それぞれコンピュータ装置１４０に接続されている。
【００９９】
ビジョンテスタ１２０、視力表装置１３０及びコンピュータ装置１４０は、例えば本出願人による特開平８−２１５１４８号公報に示すような従来の装置とほぼ同様に構成される。なお、本システム１０００は、レフラクトメータ等の他覚式検眼装置を更に備えていてもよい。
【０１００】
ビジョンテスタ１２０は、本発明の「自覚式検眼手段」を構成するものであり、従来と同様に、被検者の眼（被検眼）の自覚式検眼測定を行うための左右の測定ユニットを備えている。ビジョンテスタ１２０は、例えば上方から吊り下げられた状態で支持されており、測定時には、各測定ユニットの検眼窓が左右被検眼の眼前に配置されるようになっている。
【０１０１】
ビジョンテスタ１２０には、その各部を制御するＣＰＵ等の制御回路を含む制御部１２１が設けられている。また、左右の測定ユニットのそれぞれには、複数の矯正用レンズ１２２−１〜１２２−Ｎが設けられたターレット板１２２（レンズ保持手段）が内蔵されている。なお、図示は省略するが、各測定ユニットには、被検眼の球面度を矯正する矯正用レンズを備えたターレット板、円柱度を矯正する矯正用レンズを備えたターレット板、プリズム度を矯正する矯正レンズを備えたターレット板など、複数のターレット板が設けられている。また、各測定ユニットには、各ターレット板１２２をそれぞれ（回転）駆動して、矯正用レンズを選択的に検眼窓に配置させるステッピングモータ等の駆動部１２３（駆動手段）が内蔵されている。
【０１０２】
視力表装置１３０は、本発明の「視標提示手段」を構成し、従来と同様に、その各部を制御するＣＰＵ等の制御回路を含む制御部１３１と、この制御部１３１の指示に応じてランドルト環等の検眼用の視標を選択的に提示する視標提示部１３２とが設けられている。視標提示部１３２は、例えば、様々な視力値に対応する複数の視標が設けられた視標板と、この視標板上の各視標を後方から選択的に照明する照明光源などを含んで構成される。
【０１０３】
コンピュータ装置１４０は、本システム１０００の各部を制御するＣＰＵ１４１（制御手段）と、このＣＰＵ１４１により実行される制御プログラム等を記憶したメモリ１４２と、液晶ディスプレイ等のモニタ１４３と、本システム１０００の操作に用いられるキーボードやマウス等の入力デバイスなどからなる入力部１４４と、リーダライタ２０との間におけるデータの送受信を行う通信Ｉ／Ｆ１４５とを備えている。モニタ１４３には、ＣＰＵ１４１によって各種の操作画面や測定結果表示画面等が表示される。ＣＰＵ１４１は、入力部１４４からの要求などに応じて、ビジョンテスタ１２０や視力表装置１３０を制御して、被検眼に供される矯正用レンズ１２２−１〜１２２−Ｎの選択制御や、被検眼に提示する視標の選択制御などを行う。
【０１０４】
ここで、コンピュータ装置１４０のＣＰＵ１４１がビジョンテスタ１２１及び／又は視力表装置１３０を直接に制御するように構成してもよい。すなわち、ビジョンテスタ１２０の制御部１２１や視力表装置１３０の制御部１３１を設けず、駆動部１２３や視標提示部１３２をＣＰＵ１４１によって直接に制御するように構成できる。
【０１０５】
また、コンピュータ装置１４０を含まないシステム構成を採用する場合には、ビジョンテスタ１２０の制御部１２１や視力表装置１３０の制御部１３１が本発明の制御手段を構成することとなる。
【０１０６】
［処理手順］
図１０に、本実施形態のシステム１０００が実行する処理の一例を示す。メガネ１０のメモリ１１には、検眼情報１２と装用者ＩＤ１３があらかじめ記憶される（Ｓ３１）。
【０１０７】
検眼情報１２には、メガネ１０の左右のレンズの処方値、メガネ１０を作成するために実施された検眼測定により取得された左右被検眼の他覚値及び自覚値のうちの少なくとも１つ（以下、初期矯正値と呼ぶ）が含まれている。この初期矯正値は、球面度Ｓ、円柱度Ａ、円柱軸方向Ａ、プリズム度Ｐなどを含んでいる。更に、検眼情報１２には、メガネ１０を作成するために実施された検眼測定により取得された左右被検眼の視力値（例えば、Ｌ（左）；０．３、Ｒ（右）；０．５など：以下、初期視力値と呼ぶ）が含まれている。
【０１０８】
メガネ１０及びリーダライタ２０の一方又は双方を近接させて、メガネ１０の電気接点１４とリーダライタ２０の電気接点２１とを接触させる（Ｓ３２）。すると、リーダライタ２０は、メガネ１０のメモリ１１に記憶された検眼情報１２と装用者ＩＤ１３とを読み取り（Ｓ３３）、コンピュータ装置１４０に送信する（Ｓ３４）。コンピュータ装置１４０のＣＰＵ１４１は、この検眼情報１２と装用者ＩＤ１３をメモリ１４２に記憶させる（Ｓ３５）。
【０１０９】
コンピュータ装置１４０のＣＰＵ１４１は、ビジョンテスタ１２０に対し、検眼情報１２の初期矯正値に示す度数（球面度数、円柱度数、プリズム度数等）の矯正レンズの設定（すなわち、検眼窓への配置）を指示する制御信号を送信する（Ｓ３６）。ビジョンテスタ１２０の制御部１２１は、この制御信号に基づき、左右の測定ユニット内の各駆動部１２３を制御して各ターレット板１２２を駆動させ、初期矯正値に示す度数の矯正レンズを検眼の初期値として設定する（Ｓ３７）。
【０１１０】
また、コンピュータ装置１４０のＣＰＵ１４１は、視力表装置１３０に対し、検眼情報１２の初期視力値に示す視力値に対応する視標を提示させるための制御信号を送信する（Ｓ３８）。視力表装置１３０の制御部１３１は、この制御信号に基づいて視標提示部１３２を制御して、初期視力値に示す視力値に対応する視標を提示させる（Ｓ３９）。なお、当該視力値に対応する視標が複数設けられている場合には、それらのうちの任意の視標を提示させる。例えば、当該視標に対応する複数の視標が左右に配列されている場合、被検者から見て最も左側の視標を提示するように制御される。
【０１１１】
検者は、ステップＳ３７でビジョンテスタ１２０に設定された度数と、ステップＳ３９で視力表装置１３０に提示された視標とを用いて、被検眼に対する（自覚式）検眼測定を開始する（Ｓ４０）。検者は、被検者の応答内容にしたがって矯正レンズの度数や提示する視標を変更しながら左右被検眼の視力値を測定する（Ｓ４１）。
【０１１２】
［作用・効果］
本実施形態の眼科情報処理システム１０００によれば、メガネ１０のメモリ１１にあらかじめ記憶された検眼情報１２を読み取ると、ビジョンテスタ１２０により被検眼に適用される度数が検眼情報１２の初期矯正値に自動設定されるので、ビジョンテスタ１２０の初期値の設定が容易となり、ひいては自覚式検眼測定の効率化を図ることができる。
【０１１３】
本実施形態の眼科情報処理システム１０００によれば、メガネ１０のメモリ１１にあらかじめ記憶された検眼情報１２を読み取ると、適当な視力値の視標が視力表装置１３０により自動的に提示される。したがって、視力表装置１３０により最初に提示する視標の選択を容易に行うことができ、自覚式検眼測定の効率化を図ることができる。
【０１１４】
また、装用者の初期矯正値や初期視力値が記録された処方箋や顧客管理カードを廃棄・紛失してしまった場合や、前回とは別のメガネ店でメガネを作成する場合、或いは別の眼科医院で検査等を行う場合など、メガネの装用者の過去の検眼情報がメガネ店や眼科医院に無い場合であっても、ビジョンテスタ１２０の初期値や視力表装置１３０による最初の視標が自動設定されるので、自覚的検眼測定を効率的に行うことができる。
【０１１５】
［変形例］
本実施形態の変形例について説明する。本変形例は、上記の図１０のステップＳ４１において取得された視力値や、検眼測定において取得された新たな処方値、自覚値などをメガネ１０のメモリ１１に書き込む構成を備えている。
【０１１６】
そのために、まず、コンピュータ装置１４０のＣＰＵ１４０は、ステップＳ４１にて取得された当該被検眼の左右の視力値を、通信Ｉ／Ｆ１４５を介してリーダライタ２０に送信する。ここで、視力値の測定結果は、検者が入力部１４４から入力するようにしてもよいし、視力表装置１４０にて段階的に提示された視標の視力値を基に自動的に求めるようにしてもよい。後者の場合、ＣＰＵ１４１は、所定のプログラムにしたがって測定結果を求める。
【０１１７】
次に、メガネ１０の電気接点１４とリーダライタ２０の電気接点２１とを接触させて、視力値の測定結果をリーダライタ２０側からメガネ１０側に送信する。メガネ１０に設けられた上述のコントロール回路は、リーダライタ２０から受信した視力値の測定結果を検眼情報１２に書き込む。
【０１１８】
このとき、視力値の測定結果を、既に記憶されている初期視力値とともに記憶させることが好ましい。つまり、既に記憶されている初期視力値を消去せずに、それに追加して当該測定結果を書き込むことにより、被検眼の視力値の履歴情報を形成することが好ましい。次回以降の測定時などに検眼情報１２を読み取るとき、この履歴情報のうちの最新の測定結果のみを読み取るようにしてもよいし、履歴情報中の全て（一般に複数）の視力値の測定結果を読み取るようにしてもよい。特に後者を採用する場合、当該被検眼の視力値の変化を把握することができるので便利である。
【０１１９】
検眼測定において取得された新たな処方値、自覚値などについても、以上と同様にしてメガネ１０のメモリ１１に記憶させることができる。同様に、本実施形態のシステム１にレフラクトメータ等の他覚式検眼装置が設けられている場合（上述）には、それにより取得された被検眼の他覚値をメガネ１０のメモリ１１に記憶させることが可能である。
【０１２０】
本実施形態においては、メガネ１０側から読み取った検眼情報１２に基づいて、ビジョンテスタ１２０及び視力表装置１３０の双方の初期設定を行うように構成されているが、それらの一方の初期設定のみを行うようにしてもよい。ビジョンテスタ１２０の初期設定のみを行う場合、初期矯正値のみが検眼情報１２にあらかじめ記憶されていれば十分である。また、視力表装置１３０の初期設定のみを行う場合には、初期視力値のみが検眼情報１２にあらかじめ記憶されていれば十分である。
【０１２１】
本実施形態におけるビジョンテスタと視力表装置の代わりに、上述の特開２００４−２２２９５５号公報などに記載の自覚式検眼及び他覚式検眼を両眼同時に実施可能な検眼装置を用いることができる。
【０１２２】
〈その他の変形例〉
以上に詳述した構成は、本発明に係る眼科情報処理システムを実施するための一例に過ぎないものである。したがって、本発明の要旨の範囲内における任意の変形を施すことが可能である。
【０１２３】
例えば、メガネ１０の装用者を識別するための装用者ＩＤ１３を参照しない構成を採用する場合には、検眼情報１２のみをメガネ１０のメモリ１１に記憶するようにしてもよい。例えば、第１の実施形態において、読み取った検眼情報１２をそのまま表示させる場合、第２の実施形態において、読み取った検眼情報１２をそのまま格納する場合、また、第３の実施形態において、読み取った検眼情報１２の初期矯正値や初期視力値をそのまま設定する場合などには、装用者ＩＤ１３をメガネ１０側にあらかじめ記憶しておく必要はない。
【０１２４】
また、メモリ１１に記憶された検眼情報１２等を読み取るための構成は、図１や図５に示したようなものに限定されるものではなく、任意の構成を用いることが可能である。
【０１２５】
また、上記各実施形態では、メガネ側に記憶された情報の読み取り及び書き込むが可能なリーダライタを使用しているが、書き込み処理の必要がない場合には、読み取りのみが可能なリーダ（読取手段）を使用してもよい。
【０１２６】
また、第１〜３の実施形態の特徴を任意に組み合わせた眼科情報処理システムを構成することもできる。
【図面の簡単な説明】
【０１２７】
【図１】本発明に係る眼科情報処理システムの第１の実施形態の概略構成を表すブロック図である。
【図２】本発明に係る眼科情報処理システムの第１の実施形態に示すメガネの概略構成を表す斜視図である。
【図３】本発明に係る眼科情報処理システムの第１の実施形態により実行される処理を表すフローチャートである。
【図４】本発明に係る眼科情報処理システムの第１の実施形態の変形例の概略構成を表すブロック図である。
【図５】本発明に係る眼科情報処理システムの第１の実施形態の変形例の概略構成を表すブロック図である。
【図６】本発明に係る眼科情報処理システムの第１の実施形態の変形例により実行される処理を表すフローチャートである。
【図７】本発明に係る眼科情報処理システムの第２の実施形態の概略構成を表すブロック図である。
【図８】本発明に係る眼科情報処理システムの第２の実施形態により実行される処理を表すフローチャートである。
【図９】本発明に係る眼科情報処理システムの第３の実施形態の概略構成を表すブロック図である。
【図１０】本発明に係る眼科情報処理システムの第３の実施形態により実行される処理を表すフローチャートである。
【符号の説明】
【０１２８】
１、１′、１００、１０００  眼科情報処理システム
１０  メガネ
１１  メモリ
１２  検眼情報
１３  装用者ＩＤ
１４  電気接点
１５  ＩＣタグ
１６  ＩＣチップ
１７  アンテナ
２０  リーダライタ
２１  電気接点
２２  アンテナ
３０  眼科機器
３１  ＣＰＵ
３２  メモリ
３２Ａ  顧客ＩＤ
３２Ｂ  関連情報
３２ａ  情報格納部
３３  モニタ
３４  通信インターフェイス（Ｉ／Ｆ）
３５  判断部
４０、１４０  コンピュータ装置
４１、１４１  ＣＰＵ
４２  判断部
４３  ハードディスクドライブ（ＨＤＤ）
４４  格納部
４５  顧客ＩＤ
４６  関連情報
４７、１４３  モニタ
４８、１４５  通信インターフェイス（Ｉ／Ｆ）
１４２  メモリ
１４４  入力部
１２０  ビジョンテスタ
１２１  制御部
１２２  ターレット板
１２２−１〜１２２−Ｎ  矯正用レンズ
１２３  駆動部
１３０  視力表装置
１３１  制御部
１３２  視標提示部
【図１】
2006081835.tif 000003
【図２】
2006081835.tif 000004
【図３】
2006081835.tif 000005
【図４】
2006081835.tif 000006
【図５】
2006081835.tif 000007
【図６】
2006081835.tif 000008
【図７】
2006081835.tif 000009
【図８】
2006081835.tif 000010
【図９】
2006081835.tif 000011
【図１０】
2006081835.tif 000012